(57)【要約】【課題】ハードディスク装置そのものを簡単かつ確実に収納したり取り出すことができるハードディスク装置用ケースを提供すること。【解決手段】ハードディスク装置用ケースは、ケースの前面下方においてケースに回動可能に係合し、ケースの前面を覆う蓋部材と、ハードディスク装置を収納する収納部材と、収納部材の両側面に前後に摺動可能に係止され、ハードディスク装置の後端と係合する爪部材を備えた摺動部材と、蓋部材および摺動部材と回動可能に連結し、蓋部材を開けた時に摺動部材を牽引するリンク部材とを備える。蓋部材は内側に、ハードディスク装置の収納時にはハードディスク装置を押圧し、ハードディスク装置の取り出し時にはストッパとなる突起を備えていてもよい。工具等を使用せずにハードディスク装置そのものを簡単にケースに収納したり取り出すことができる。【選択図】図１
0003140594.tif 000002
【実用新案登録請求の範囲】
【請求項１】
ハードディスク装置を収納するケースにおいて、
前記ケースの前面下方において前記ケースに回動可能に係合し、前記ケースの前面を覆う蓋部材と、
前記ケース内部に配置され、ハードディスク装置を収納する収納部材と、
前記収納部材の背面に配置され、ハードディスク装置および外部との接続コネクタを備えた印刷配線基板と、
前記収納部材の両側面に前後に摺動可能に係止され、ハードディスク装置の後端と係合する爪部材を備えた摺動部材と、
端部が前記蓋部材および前記摺動部材とそれぞれ回動可能に連結し、前記蓋部材を開けた時に前記摺動部材を牽引するリンク部材と
を備えたことを特徴とするハードディスク装置用ケース。
【請求項２】
前記蓋部材は内側に、ハードディスク装置の収納時にはハードディスク装置を押圧し、ハードディスク装置の取り出し時にはストッパとなる突起を備えていることを特徴とする請求項１に記載のハードディスク装置用ケース。
【請求項３】
前記ハードディスク装置用ケースはキースイッチおよびキースイッチをロック位置にした場合に前記蓋部材が開かないようにロックされる蓋ロック機構を備え、更にキースイッチをロック位置にした場合にのみハードディスク装置に電源が供給されるスイッチ回路を備えていることを特徴とする請求項１に記載のハードディスク装置用ケース。
【請求項４】
前記蓋部材が所定の角度以上に開かれた場合にのみ、前記リンク部材が前記摺動部材を牽引するように、前記リンク部材は長円形の孔によって前記摺動部材の端部に形成された軸と係合していることを特徴とする請求項１に記載のハードディスク装置用ケース。
【請求項５】
前記収納部材は前記ハードディスク装置用ケースに緩衝部材を介して固着されていることを特徴とする請求項１に記載のハードディスク装置用ケース。
【考案の詳細な説明】
【技術分野】
【０００１】
本考案はハードディスク装置用ケースに関するものであり、特にハードディスク装置を容易かつ確実に着脱可能なハードディスク装置用ケースに関するものである。
【背景技術】
【０００２】
従来、パソコン用のハードディスク装置を収納するハードディスク装置用ケースが各種提案されている。例えば下記特許文献１には、外付け式ハードディスク装置ケースの一例が開示されている。この引き出し式ハードディスクケースは、ハードディスク装置の引き出しケースの挿入及び取出しによって自動的にハードディスクドライブの電源をオンオフすることのできるものである。
【特許文献１】実用新案登録第３０４７９３６号公報
【考案の開示】
【考案が解決しようとする課題】
【０００３】
上記した従来のハードディスク装置用ケースにおいては新規にハードディスク装置を収納したり、ハードディスク装置を交換したりする場合に、内部のハードディスク装置の引き出しケースを取り出し、更にハードディスク装置を固定するネジで固定あるいは取り外す必要があり、ハードディスク装置の収納や取り出しが面倒であるという問題点があった。
【０００４】
本考案の目的は、上記した従来の問題点を解決し、簡単な構造で工具等を使用せずにハードディスク装置そのものを簡単かつ確実に収納したり取り出すことができ、かつハードディスク装置を確実に保持することができるハードディスク装置用ケースを提供する点にある。
【課題を解決するための手段】
【０００５】
本考案のハードディスク装置用ケースは、ハードディスク装置を収納するケースにおいて、前記ケースの前面下方において前記ケースに回動可能に係合し、前記ケースの前面を覆う蓋部材と、ケース内部に配置され、ハードディスク装置を収納する収納部材と、前記収納部材の背面に配置され、ハードディスク装置および外部との接続コネクタを備えた印刷配線基板と、前記収納部材の両側面に前後に摺動可能に係止され、ハードディスク装置の後端と係合する爪部材を備えた摺動部材と、端部が前記蓋部材および前記摺動部材とそれぞれ回動可能に連結し、前記蓋部材を開けた時に前記摺動部材を牽引するリンク部材とを備えたことを主要な特徴とする。
【０００６】
また、前記したハードディスク装置用ケースにおいて、前記蓋部材は内側に、ハードディスク装置の収納時にはハードディスク装置を押圧し、ハードディスク装置の取り出し時にはストッパとなる突起を備えている点にも特徴がある。
【０００７】
また、前記したハードディスク装置用ケースにおいて、前記ハードディスク装置用ケースはキースイッチおよびキースイッチをロック位置にした場合に前記蓋部材が開かないようにロックされる蓋ロック機構を備え、更にキースイッチをロック位置にした場合にのみハードディスク装置に電源が供給されるスイッチ回路を備えている点にも特徴がある。
【０００８】
また、前記したハードディスク装置用ケースにおいて、前記蓋部材が所定の角度以上に開かれた場合にのみ、前記リンク部材が前記摺動部材を牽引するように、前記リンク部材は長円形の孔によって前記摺動部材の端部に形成された軸と係合している点にも特徴がある。
また、前記したハードディスク装置用ケースにおいて、前記収納部材は前記ハードディスク装置用ケースに緩衝部材を介して固着されている点にも特徴がある。
【考案の効果】
【０００９】
本考案のハードディスク装置用ケースは、上記したような構成によって、以下のような効果がある。
（１）工具等を使用せずにハードディスク装置そのものを簡単にケースに収納したり取り出すことができる。
（２）ハードディスク装置挿入時に開いた蓋部材に乗せて挿入することができ、誤って落下させる恐れが減少する。また、蓋部材を閉める時に蓋部材の突起部分がハードディスク装置を押し込むのでハードディスク装置を確実に装着できる。
【００１０】
（３）ハードディスク装置引抜時にハードディスク装置の後端部の両側を引掛けて引抜くため、ハードディスク装置をまっすぐに引き出せ、コネクタ等を損傷する恐れが減少する。また、ハードディスク装置引抜時に蓋部材の突起部分がストッパになり、ハードディスク装置の飛び出し、落下を防止できる。
（４）キーをロック位置に回動することにより、蓋部材が開かないようにロックされると共にハードディスク装置に電源が供給されるようになっているので、ハードディスク装置に電源が供給された状態で引き抜かれる恐れが無くなる。
【考案を実施するための最良の形態】
【００１１】
以下に、図面を参照して本考案の実施形態を説明する。なお、実施例においては、例えばデスクトップ形パソコンの収納ベイに収納して使用する内蔵形のハードディスク装置用ケースについて説明するが、本考案のハードディスク装置用ケースは外付け型のハードディスク用ケースとしても利用可能である。
【実施例１】
【００１２】
図１は、本考案によるハードディスク装置用ケースの構成を示す平面図および側面図である。図１の上段、中段の側面図においてはケース１０の外側面の板を切り取った状態を、また下段の平面図においては収納部材１３の上部の板を切り取った状態を示している。また、上段は蓋部材１２を閉めた状態を、中、下段は蓋部材１２を開けた状態を示している。
【００１３】
また、図３は、本考案によるハードディスク装置用ケースの構成を示す正面図、背面図および断面図である。図３の上段は蓋部材１２を閉じた状態の正面図、２段目は蓋部材１２を開いた状態の正面図（ファンは省略してある）であり、３段目は中央部における断面図、下段は背面図である。
【００１４】
ケース１０は大まかに分けて、ケース本体１０、ケース前部部材１１、蓋部材１２、収納部材２０からなる。そして、収納部材２０の両側面には摺動部材２０が装着されており、２本の摺動部材２０と蓋部材１２とは２本のリンク部材２４によって連結されている。また、ハードディスク装置を収納する収納部材２０の背面にはコネクタ１６〜１８を備えた印刷配線基板１５が配置されている。
【００１５】
金属製のケース本体１０は上面が開放された、断面がコ字状の金属板からなり、後端に冷却用の電動ファン１４がネジによって固着されている。プラスティック製のケース前部部材１１は、中央にハードディスク装置を出し入れする開口部を備えた枠状の部材であり、図示しないネジによってケース本体１０に固着されている。
【００１６】
ケース前部部材１１の下方において蓋部材１２が回動可能に係合している。また、ケース前部部材１１の前面にはキースイッチ４１、蓋部材１２を係止するためのプッシュプッシュ型の係止機構４２、２個の発光ダイオード３５が装着されている。
【００１７】
キースイッチ４１は、キーを使用して軸を例えば９０度回動させることにより、後方のピン４９が９０度回動すると共にスイッチがオン／オフする部品である。なお、プッシュプッシュ型の係止機構４２やキースイッチ４１は部品として市販されている。
【００１８】
本考案のハードディスク装置用ケースにおいては、キースイッチ４１をロック位置に回動した場合には、ピン４９が後述する蓋部材１２の内側に形成されているリブ４６の長円形の孔３２と係合して蓋部材１２が開かないようにする蓋ロック機構を構成している。
【００１９】
また、キースイッチ４１のスイッチ回路は印刷配線基板１５に接続されており、印刷配線基板１５はキースイッチ４１をロック位置にした場合にのみハードディスク装置に電源が供給されるスイッチ回路を備えている。
【００２０】
ケースの前面を覆うプラスティック製の蓋部材１２は、下方の蝶番３１によってケース前部部材１１と係合している。蓋部材１２は内側（裏面）に突起４０を備えており、この突起４０はハードディスク装置１９の収納時にはハードディスク装置を押圧し、ハードディスク装置１９の取り出し時にはストッパとなる。突起４０は断面がほぼ半円状の多数の板状突起からなる。
【００２１】
蓋部材１２の内側の左右にはリンク部材２４が軸３０を介して連結されているリブ４５、４６を備えており、右側のリブ４６にはロック時にキースイッチのピン４９と嵌合する長円形の孔３２が設けられている。
【００２２】
蓋部材１２にはこの他、キースイッチ用の孔３８および発光ダイオード用の孔３６、プッシュプッシュ係止機構４２のための鉤状突起３３が設けられている。蓋部材１２は、プッシュプッシュ型の係止機構を採用したことで蓋部材１２の前面に引っ掛け部分等を形成する必要がなくなり、スッキリとしたデザインとなっている。
【００２３】
ケース１０の内部に配置され、ハードディスク装置１９を収納する金属製の収納部材２０は、底部が開放された、断面がほぼコ字状のケースであり、振動を吸収する緩衝部材４７を介してケース本体１０に固着されている。なお、収納部材２０とケース本体１０とは図示しないリード線によって電気的に接続されている。収納部材２０を緩衝部材４７を介して取り付けることにより、振動・騒音を低減することができる。
【００２４】
収納部材２０の両側面下部内側にはハードディスク装置を保持するための帯状の突起４８が形成されている。また、背面にはハードディスク装置１９との接続コネクタ１６および外部（マザーボードや電源装置）との接続コネクタ１７、１８を備えた印刷配線基板１５が装着されている。
【００２５】
収納部材１３の両側面にはガイド２２によって前後に摺動可能に係止され、ハードディスク装置１９の後端と係合する爪部材２１を備えた金属製の摺動部材２０が装着されており、収納部材１３の両側面には爪部材２１を通すための切り欠きが設けられている。
【００２６】
リンク部材２４は軸３０を介して蓋部材１２と回動可能に連結し、軸２３を介して摺動部材２０と回動可能に連結している。リンク部材２４は蓋部材１２を開けた時に摺動部材２０を牽引して、爪部材２１によってハードディスク装置を引き出す。また、蓋部材１２が水平になるまで開いた位置で爪部材２１が貫通している収納部材の切り欠きの端部に当接して蓋部材１２がそれ以上開かないように設計されている。
【００２７】
なお、軸２３はリンク部材２４の長円形の孔の中を移動可能に係合しており、連結には長円の長さ分の遊びがある。蓋部材１２が所定の角度（例えば３０度）以上に開かれた場合にのみ、リンク部材２４が摺動部材２０を牽引するように、各部材や長円の長さが調整されている。
【００２８】
図２は、ハードディスク装置の収納および取り出し時の状態を示す説明図である。ハードディスク装置１９の挿入時には、まずキースイッチ４１を開放位置に回動し、蓋部材１２を開けて、ハードディスク装置１９を挿入する。このとき、蓋部材１２が下方に開いているので、ハードディスク装置１９を挿入する時に蓋部材１２に乗せて押し込むことができ、誤って落下させてしまう事故を防止することができる。
【００２９】
次に、蓋部材１２を閉める。このとき、蓋部材１２の突起４０がハードディスク装置１９の前面を均等に押圧するので、ハードディスク装置１９は所定の位置まで押し込まれ、ハードディスク装置の図示しないコネクタが印刷配線基板１５に装着されているコネクタ１６と結合する。
【００３０】
このとき、摺動部材２０の爪部材２１もハードディスク装置１９に押されて後方に移動するが、リンク部材２４との連結に遊びがあるので、爪部材２１はハードディスク装置１９の後方の近傍に留まっている。
【００３１】
蓋部材１２を完全に閉めると係止機構４２に蓋部材１２の突起３３が挿入されて係合し、蓋部材１２が係止される。次に、キースイッチ４１をロック位置に回動させるとキースイッチ４１のピン４９が蓋部材１２のリブ４６に設けられた長円形の孔３２と係合し、蓋部材１２がロックされると共に、後述する回路によってハードディスク装置１９に電源が供給される。
【００３２】
ハードディスク装置１９を取り出す場合には、まず、キースイッチ４１を開放位置に回動させるとキースイッチ４１のピン４９が蓋部材１２のリブ４６に設けられた長円形の孔３２から離脱し、蓋部材１２のロックが解除されると共に、後述する回路によってハードディスク装置１９への電源供給が遮断される。
【００３３】
次に、蓋部材１２の前面の突起３３と対応する位置（実施例では右上）を押すと突起３３と係止機構４２との係合が解除されて蓋部材１２が開放可能となる。そして、蓋部材１２を開くと蓋部材１２と連結しているリンク部材２４が引き出されるが、リンク部材２４と摺動部材２０の連結に遊びがあるので、所定の角度までは蓋部材１２を開いても摺動部材２０は引き出されない。
【００３４】
更に、蓋部材１２を所定の角度以上開くとリンク部材２４と摺動部材２０の連結に遊びが無くなり、摺動部材２０が引き出される。すると、摺動部材２０の爪部材２１がハードディスク装置１９の後方の両側に引掛かり、ハードディスク装置１９はコネクタ１６から引き抜かれて前方に引き出される。
【００３５】
なお、蓋部材１２を勢いよく開いた場合にはハードディスク装置１９が飛び出す恐れがあるが、この場合でも蓋部材１２が下方に開いており、かつ突起４０が形成されているので、飛び出したハードディスク装置は突起４０に当たって停止するかあるいは突起４０に乗り上げて停止し、突起４０によって支持される。従って、本考案のハードディスク装置用ケースは取り出し時の落下を防止する効果もある。
【００３６】
図４は、本考案によるハードディスク装置用ケースの印刷配線基板の回路図である。内蔵されるハードディスク装置は例えばＳＡＳ(Serial Attached SCSI)仕様に準拠するハードディスク装置であり、前記したように挿入動作と連動して内部ＳＡＳコネクタ１６に接続される。コネクタ１６の信号線は外部接続用ＳＡＴＡ（Serial ATA）コネクタ１８あるいは外部接続用ＳＡＴＡコネクタ５２に直接接続される。
【００３７】
外部接続用ＳＡＴＡコネクタ１８あるいは電源用コネクタ１７から供給される５Ｖおよび１２Ｖの電源は２個のＰチャネルパワーＭＯＳＦＥＴ６０のソース（Ｓ）端子にそれぞれ接続される。キースイッチ４１が開放位置においてはスイッチ４１はオフであるので、ＦＥＴ６０のゲート（Ｇ）には１２Ｖが印加されており、２個のＦＥＴ６０はオフ状態となっており、内部ＳＡＳコネクタ１６には電源は供給されない。
【００３８】
キースイッチ４１をロック位置に回動させると、スイッチ４１はオンとなり、Ｒ３はＲ２より抵抗値がかなり大きく設定されているのでＦＥＴ６０のゲート（Ｇ）にはほぼ０Ｖが印加され、２個のＦＥＴ６０はオン状態となって、内部ＳＡＳコネクタ１６に５Ｖおよび１２Ｖの電源が供給される。発光ダイオード３５の一方は内部コネクタ１６に５Ｖの電源が供給されると点灯し、他方は内部コネクタ１６を介して接続されるハードディスク装置１９からのハードディスク動作信号によって点滅する。
【産業上の利用可能性】
【００３９】
本考案はパソコン用のハードディスク装置用ケースとして利用可能である。
【図面の簡単な説明】
【００４０】
【図１】本考案によるハードディスク装置用ケースの構成を示す平面図および側面図である。
【図２】ハードディスク装置の収納および取り出し時の状態を示す説明図である。
【図３】本考案によるハードディスク装置用ケースの構成を示す正面図、背面図および断面図である。
【図４】本考案によるハードディスク装置用ケースの印刷配線基板の回路図である。
【符号の説明】
【００４１】
１０…ケース本体
１１…ケース前部部材
１２…蓋部材
１３…収納部材
１４…電動ファン
１５…印刷配線基板
１６、１７、１８…コネクタ
１９…ハードディスク装置
２０…収納部材
２１…爪部材
２２…ガイド
２３…軸
２４…リンク部材
３０…軸
３１…蝶番
３２…長円形の孔
３３…鉤状突起
３５…発光ダイオード
３６…孔
３８…孔
４０…突起
４１…キースイッチ
４２…係止機構
４５、４６…リブ
４７…緩衝部材
４８…帯状の突起
【図１】
0003140594.tif 000003
【図２】
0003140594.tif 000004
【図３】
0003140594.tif 000005
【図４】
0003140594.tif 000006